(57)【要約】【課題】操作釦の外周を均一に照明することのできる操作釦装置を提供する。【解決手段】ホルダ２と操作釦１とから成るシーソー型の操作釦装置であって、ホルダ２は、フレーム２１の開口部２０に設けられた回転軸２２ａ及び２２ｂに傾動自在に保持された回転基板２３と、この回転基板２３から突設されたスイッチ駆動棒２４ａ及び２４ｂとが一体に形成され、操作釦１は、ホルダ２の開口部２０を覆うような外形を有する本体１０と、この本体１０から突設されて上記回転基板２３に嵌合される連結部１１と、上記フレーム２１に当接する凸部１２ａ及び１２ｂとが一体に形成されている。【選択図】        図１
2004327322.tif 000002
【特許請求の範囲】
【請求項１】
傾動機構部と操作釦とから成るシーソー型の操作釦装置において、
前記傾動機構部は、開口部を有するフレームと、前記フレームの開口部に突出するように設けられた回転軸と、前記回転軸に傾動自在に保持された回転基板と、前記回転基板から傾動方向に突出するように設けられたスイッチ駆動棒とが一体に形成され、
前記操作釦は、前記傾動機構部の開口部を覆うような外形を有する本体と、前記本体から突出するように設けられて前記傾動機構部の回転基板に嵌合される連結部と、前記連結部が前記傾動機構部に嵌合された状態で前記傾動機構部のフレームの表面に当接する凸部とが一体に形成され、
前記回転基板は、前記本体が押圧されることにより、前記フレームの表面と前記凸部とが当接する部分を支点として傾動し、前記スイッチ駆動棒を移動させることを特徴とする操作釦装置。
【請求項２】
前記傾動機構部の回転基板は導光用の開口部を有することを特徴とする請求項１記載の操作釦装置。
【請求項３】
前記操作釦の連結部は、前記操作釦の中央部以外の位置に設けられていることを特徴とする請求項１記載の操作釦装置。
【発明の詳細な説明】
【０００１】
【発明の属する技術分野】
この発明は、シーソー型の操作釦を有する操作釦装置に関し、特に操作釦の外周の照明を均一にする構造に関するものである。
【０００２】
【従来の技術】
従来、例えばラジオ受信機とカセットデッキとを一体に組み合わせた車載用音響機器が知られている。このような車載用音響装置の多くには、例えば音量を増大させたり減少させたりするために、自己復帰できるシーソー型の操作釦装置が設けられている（例えば、特許文献１参照）。この操作釦装置に搭載された操作釦は、例えば車幅灯の点灯に連動して背後から照明がなされることにより、操作釦の表面に描かれた文字や図形が明るくなり、夜間走行時やトンネル内走行時の釦操作が容易になる。
【０００３】
最近は、操作釦に描かれた文字や図形を明るくするのみならず、操作釦の外周を照明により明るくして高級感を醸し出す操作釦装置も開発されている。
【０００４】
【特許文献１】
特開平８−２４９９７２号公報（図１）
【０００５】
【発明が解決しようとする課題】
しかしながら、上述した特許文献１に記載された操作釦装置においては、操作釦は、その外周面に突出するように設けられたヒンジ部を中心に回転（傾動）してシーソー動作を行う構造を有する。このため、操作釦の表面を均一に照明することはできるが、ヒンジ部が邪魔をするので、操作釦の外周を均一に照明することができない。その結果、表面だけではなく外周も照明可能な操作釦に比較すると高級感に欠けるという課題がある。
【０００６】
この発明は、上記のような課題を解消するためになされたものであり、操作釦の外周を均一に照明することのできる操作釦装置を提供することを目的とする。
【０００７】
【課題を解決するための手段】
この発明に係る操作釦装置は、傾動機構部と操作釦とから成るシーソー型の操作釦装置であって、傾動機構部は、フレームの開口部に突出するように設けられた回転軸に傾動自在に保持された回転基板と、この回転基板から傾動方向に突出するように設けられたスイッチ駆動棒とが一体に形成され、操作釦は、傾動機構部の開口部を覆うような外形を有する本体と、この本体から突出するように設けられて傾動機構部の回転基板に嵌合される連結部と、連結部が傾動機構部に嵌合された状態で傾動機構部のフレームの表面に当接する凸部とが一体に形成されている。そして、回転基板は、本体が押圧されることにより、フレームの表面と凸部とが当接する部分を支点として傾動し、スイッチ駆動棒を移動させるものである。
【０００８】
【発明の実施の形態】
以下、この発明の実施の形態を図面を参照しながら詳細に説明する。
実施の形態１．
図１は、この発明の実施の形態１に係る操作釦装置の構造を示す分解斜視図である。この操作釦装置は、操作釦１と、この操作釦１を傾動自在に保持するホルダ２とから構成されている。ホルダ２は、本発明の傾動機構部に対応する。
【０００９】
図２は、操作釦１とホルダ２とが嵌合された状態を、図１の一点鎖線ＡＡで切断して示す断面図である。図３は、操作釦１とホルダ２とが嵌合された状態を、図２の切断面と直交する面で切断して示す断面図である。なお、図１においては、煩雑さを避けるために、操作釦１の一部（後述する連結部１１）は、図示を省略している。
【００１０】
この操作釦装置は、図２及び図３に示すように、車載用音響機器の外装パネル３に組み込まれる。この組み込みは、操作釦１が外装パネル３に設けられた開口部４から表面に露出するように行われる。また、外装パネル３の裏面側には、ホルダ２を介在させて、マイクロスイッチ５ａ及び５ｂが搭載された基板６が配置されている。
【００１１】
操作釦１は、一方の切断面が閉塞された円筒形状（コップ形状）の外形を有する本体１０と、この本体１０の内部の閉塞面の略中央から突出するように設けられた連結部１１と、本体１０の他方の切断面から側面に沿って突出するように設けられた円弧状の凸部１２ａ及び１２ｂとが一体に成形されて構成されている。
【００１２】
操作釦１の頭部となる閉塞面は、操作がし易いように、中央部が窪んだ形状を有する。この閉塞面には、光を透過する文字や記号等（図示しない）が描かれており、文字や記号等以外の部分（操作釦１の側面を含む）には光を透過しない塗料が塗布されている。連結部１１は、先端部に爪を有する弾性板となるように成形されている。また、凸部１２ａ及び１２ｂは、操作釦１が傾動する時の支点となる。
【００１３】
ホルダ２は、開口部２０を有するフレーム２１と、このフレーム２１の開口部２０に内方に突出するように設けられた回転軸２２ａ及び２２ｂと、この回転軸２２ａ及び２２ｂに保持された回転基板２３と、回転基板２３から傾動方向（マイクロスイッチ５ａ及び５ｂが配置される方向）に突出するように設けられたスイッチ駆動棒２４ａ及び２４ｂとが一体に成形されて構成されている。このホルダ２は、プリズムとして機能する材料で構成されている。
【００１４】
回転軸２２ａ及び２２ｂは、フレーム２１及び回転基板２３と一体に形成されており、押圧によって回転基板２３が回転軸２２ａ及び２２ｂを中心に傾動しても、押圧が解除されることにより自己復帰して元の状態に戻る。これにより、シーソー型の操作釦装置の自己復帰機能が実現されている。回転基板２３は、操作釦１の連結部１１と嵌合するための開口部２５と光を透過させるための開口部２６とを有する。
【００１５】
上記のように構成される操作釦１とホルダ２とは、操作釦１の連結部１１が回転基板２３の開口部２５に挿入されることにより嵌合され、連結部１１の先端部に設けられた爪で回転基板２３に係止されることにより堅固に連結される。この状態で、操作釦１の凸部１２ａ及び１２ｂとホルダ２のフレーム２１の上面とが当接し、操作釦１は、この当接部を支点Ｓとして回転軸２２ａ及び２２ｂを中心とする傾動ができるようにホルダ２に支持される。
【００１６】
次に上記のように構成される操作釦装置の動作を説明する。図３に示すように、操作釦１のＰ１点を図示矢印方向に押圧することにより、回転基板２３は、操作釦１の凸部１２ａ及び１２ｂとホルダ２のフレーム２１の上面との当接点を支点Ｓとして、回転軸２２ａ及び２２ｂを中心に図３中の下方向に傾動する。これにより、スイッチ駆動棒２４ａが図３中の下方向に移動してマイクロスイッチ５ａがオンにされる。
一方、操作釦１のＰ２点を図示矢印方向に押圧することにより、回転基板２３は、操作釦１の凸部１２ａ及び１２ｂとホルダ２のフレーム２１の上面との当接点を支点Ｓとして、回転軸２２ａ及び２２ｂを中心に図３中の下方向に傾動する。これにより、スイッチ駆動棒２４ｂが図３中の下方向に移動してマイクロスイッチ５ｂがオンにされる。
【００１７】
照明装置としての光源、例えばＬＥＤは、図示は省略するが、基板６上の例えばマイクロスイッチ５ａとマイクロスイッチ５ｂとの間に搭載されている。この光源が点灯されると、光源からの光は、回転基板２３に設けられた開口部２５及び開口部２６を通って操作釦１の頭部に至る。これにより、操作釦１の頭部に描かれた文字や記号が明るく表示される。また、光源からの光は、ホルダ２のフレーム２１を透過し、更に外装パネル３の開口部４を通って外部に至る。これにより、操作釦１の外周が均一に照明される。
【００１８】
以上説明したように、この実施の形態１に係る操作釦装置によれば、操作釦１を傾動させるための回転軸２２ａ及び２２ｂが操作釦１の本体１０の内側に位置するように構成したので、操作釦１の外周には光源からの照明を遮るような障害物（例えば従来の技術の欄で説明したヒンジ部）は存在しない。従って、操作釦１の裏側から光を照射することにより、操作釦１の頭部のみならず、その外周が均一に照明されるので、高級感を醸し出すことができる操作釦装置が得られる。
【００１９】
また、ホルダ２はプリズムの機能も兼ね備えているため、光源からの光は、フレーム２１を透過して外装パネル３の開口部４から外部に効率よく放出される。この点からも、操作釦１の外周において均一な照明が可能になっている。また、回転基板２３に開口部２６を設けているため、操作釦１の頭部に対する照明も均一であり、操作釦１の頭部に描かれた文字や記号を明瞭に表示させることができる。
【００２０】
また、操作釦１を押す場合の押圧力は、操作釦１の凸部１２ａ及び１２ｂとホルダ２のフレーム２１の上面との当接点である支点Ｓに作用する力と、回転基板２３を回転させる回転力とに分散される。その結果、回転基板２３には回転力しか作用しないので、この回転基板２３を支持する回転軸２２ａ及び２２ｂには回転方向以外の力が加えられることはない。従って、耐久性に優れた操作釦装置を得ることができる。
【００２１】
なお、スイッチ駆動棒２４ａ及び２４ｂの配置は、操作釦装置の下部に配置するマイクロスイッチ５ａ及び５ｂ、光源装置（図示しない）等の配置関係や、操作釦１の頭部に描かれる文字や記号の位置に応じて、最適に決定することができる。
【００２２】
また、この実施の形態１に係る操作釦装置では、操作釦１の連結部１１を頭部の略中央から突出するように設けているが、操作釦１の頭部の中央部分を照明したい場合は、操作釦１の連結部１１を頭部の端部から突出するように設け、回転基板２３の両端に連結するように配置することができる。
【００２３】
また、上述した実施の形態１では、操作釦１の形状を切断面が閉塞された円筒形状（コップ形状）に構成したが、操作釦１の形状はこれに限定されず、角筒や楕円筒等といったホルダ２のフレーム２１に形成された開口部２０を覆うことができる任意の形状を採用できる。
【００２４】
更に、上述した実施の形態１では、この発明が車載用音響機器に適用された例について説明したが、この発明は車載用音響機器に限らず、他の種々の機器に適用できることは勿論である。
【００２５】
【発明の効果】
以上のように、この発明によれば、傾動機構部の回転基板は、フレームの開口部に突出するように設けられた回転軸によって傾動自在に保持されており、操作釦の本体は、上記開口部を覆うような外形に構成されているので、回転軸は操作釦の本体の範囲内に存在し、操作釦の外周に照明を遮る部分は存在しない。その結果、操作釦の裏側から光を照射することにより、操作釦の外周を均一に照明することができるという効果がある。
【図面の簡単な説明】
【図１】この発明の実施の形態１に係る操作釦装置の構造を示す分解斜視図である。
【図２】この発明の実施の形態１に係る操作釦装置を、図１の一点鎖線ＡＡで切断して示す断面図である。
【図３】この発明の実施の形態１に係る操作釦装置を、図２の切断面と直交する面で切断して示す断面図である。
【符号の説明】
１  操作釦、２  ホルダ（傾動機構部）、３  外装パネル、４  開口部、５ａ，５ｂ  マイクロスイッチ、６  基板、１０  本体、１１  連結部、１２ａ，１２ｂ  凸部、２０  開口部、２１  フレーム、２２ａ，２２ｂ  回転軸、２３  回転基板、２４ａ，２４ｂ  スイッチ駆動棒、２５  開口部、２６  開口部。
【図１】
2004327322.tif 000003
【図２】
2004327322.tif 000004
【図３】
2004327322.tif 000005